(57)【特許請求の範囲】
【請求項１】
車両の運転席の前方に配置され、ＧＵＩ画像を表示するメータパネルと、
前記車両の運転席と助手席の中間となる位置に配置されたセンタディスプレイと、
前記メータパネルに表示されているＧＵＩ画像を選択する操作が行われた結果を受けて該結果を操作信号として出力する選択操作部と、
前記選択操作部から前記操作信号の出力があった場合、前記ＧＵＩに関連する情報を前記センタディスプレイに表示させ、前記選択操作部から前記操作信号の出力がない場合に前記車両が停止したか否かを判定し、前記車両が停止したと判定したことを条件に、前記運転席側から前記助手席側に光を移動させて運転者の意識を前記メータパネルの表示画面から前記センタディスプレイの表示画面に向けさせる演出を前記メータパネルに表示させ、前記メータパネルに表示されているＧＵＩ画像と同形状の矩形の複数のＧＵＩ画像を含んで構成される設定情報を前記センタディスプレイに表示させる制御手段とを備えた
ことを特徴とする表示制御システム。
【請求項２】
前記演出は、光の点灯、光の点滅、点灯箇所の移動のうちのいずれか一つ又は少なくとも二つ以上の組み合わせによって行われる
ことを特徴とする請求項１に記載の表示制御システム。
【請求項３】
前記メータパネルが、車両に関する情報を表示する表示領域を有する車両情報表示部と、前記車両の運転者から見て前記車両情報表示部の前記表示領域の少なくとも一部と重なる位置に情報を虚像として表示する虚像表示部とで構成され、
前記演出が前記虚像表示部に表示された虚像に対して行われる
ことを特徴とする請求項１又は２に記載の表示制御システム。
【請求項４】
前記演出が行われた虚像が前記車両情報表示部に表示された情報の表示に対して強調されるように前記車両情報表示部の表示を制御する
ことを特徴とする請求項３に記載の表示制御システム。
【請求項５】
前記センタディスプレイに表示された情報に対応する操作が行われた結果を受けて該結果を操作信号として出力する操作部をさらに備え、
前記制御手段は、前記メータパネルにおいて前記演出が開始されてからの時間を計測する時間計測手段を備え、
前記制御手段は、前記センタディスプレイに表示された情報に対応する操作が行われた結果に基づく前記操作信号
の入力が前記演出の開始後所定期間が経過するまでになかった場合に、前記演出をさらに強調して表示させる
ことを特徴とする請求項１〜４の何れか１項に記載の表示制御システム。
【請求項６】
前記センタディスプレイに表示された情報に対応する操作が行われた結果を受けて該結果を操作信号として出力する操作部をさらに備え、
前記制御手段は、前記センタディスプレイに表示された情報に対応する操作が行われた結果に基づく前記操作信号の入力があった場合に開始済みの前記演出を中止させる
ことを特徴とする請求項１〜４の何れか１項に記載の表示制御システム。
【請求項７】
請求項１〜請求項６の何れか１項に記載の表示制御システムにおける前記制御手段を備えたことを特徴とする表示制御装置。
【請求項８】
コンピュータを、請求項１〜請求項６の何れか１項に記載の表示制御システムにおける前記制御手段として機能させるためのプログラム。
【発明の詳細な説明】
【技術分野】
【０００１】
本発明は、車両に関する情報の表示制御を行う表示制御システム、表示制御装置及びプログラムに関するものである。
【背景技術】
【０００２】
従来、運転者の正面に配置された一の表示装置に表示される情報に連動して助手席側に配置された他の表示装置に該情報に関連する情報を表示させる技術がある。
例えば、残りの燃料が少なくなってきたことを示す残燃料警告表示が一の表示装置（メータパネル）に表示されると自車位置近傍の給油所が存在するか検索し、地図表示により給油施設に関する地図情報を他の表示装置（センタディスプレイ（カーナビゲーション装置））に表示する技術が知られている（特許文献１参照）。
【先行技術文献】
【特許文献】
【０００３】
【特許文献１】特開２００７−５１９７５号公報
【発明の概要】
【発明が解決しようとする課題】
【０００４】
ところで、残りの燃料が少なくなってきたことを示す残燃料警告表示がなされている場合であっても、運転者が正面を向いている場合、一の表示装置に表示される残燃料警告表示には気付くが、他の表示装置に表示された給油施設に関する地図情報までは気付きにくい。
【０００５】
このため運転者は、他の表示装置に給油施設に関する地図情報が表示されているにもかかわらず、該地図情報を見過ごしてそれを利用する機会を失う場合があった。
そこで、本発明は、運転者に対して一の表示装置に表示された表示内容と関連する表示内容を表示する他の表示装置に対する意識を高めさせて該他の表示装置が表示する情報を容易に気付かせるための表示制御システム、表示制御装置及びプログラムを提供することを目的とする。
【課題を解決するための手段】
【０００６】
かかる目的を達成するためになされた本発明に係る表示制御システムは、車両の運転席の前方に配置され、ＧＵＩ画像を表示するメータパネルと、前記車両の運転席と助手席の中間となる位置に配置されたセンタディスプレイと、前記メータパネルに表示されているＧＵＩ画像を選択する操作が行われた結果を受けて該結果を操作信号として出力する選択操作部と、前記選択操作部から前記操作信号の出力があった場合、前記ＧＵＩに関連する情報を前記センタディスプレイに表示させ、前記選択操作部から前記操作信号の出力がない場合に前記車両が停止したか否かを判定し、前記車両が停止したと判定したことを条件に、前記運転席側から前記助手席側に光を移動させて運転者の意識を前記メータパネルの表示画面から前記センタディスプレイの表示画面に向けさせる演出を前記メータパネルに表示させ、前記メータパネルに表示されているＧＵＩ画像と同形状の矩形の複数のＧＵＩ画像を含んで構成される設定情報を前記センタディスプレイに表示させる制御手段とを備えて構成される。
【０００７】
運転席側から助手席側に光を移動させる演出、すなわち、運転者の意識をメータパネルの表示画面からセンタディスプレイの表示画面に向けさせるような演出をメータパネルに表示させるので、センタディスプレイに対する運転者の意識を高めることができる。このため、センタディスプレイに表示される情報を運転者に容易に気付かせることができる。
【０００８】
なお、前記演出は、光の点灯、光の点滅、点灯箇所の移動のうちのいずれか一つ又は少なくとも二つ以上の組み合わせによって行われることが望ましい（請求項２）。
「光の点灯」、「光の点滅」、及び、「点灯箇所の移動」がなされれば、人の意識は自然と光の方向に向くので、第２の表示装置に対する運転者の意識をさらに高めることができる。このため、前記センタディスプレイに表示される情報を運転者にさらに容易に気付かせることができる。
【０００９】
また、前記メータパネルが、車両に関する情報を表示する表示領域を有する車両情報表示部と、前記車両の運転者から見て前記車両情報表示部の前記表示領域の少なくとも一部と重なる位置に情報を虚像として表示する虚像表示部とで構成され、前記演出が前記虚像表示部に表示された虚像に対して行われるようにしてもよい（請求項３）。
【００１０】
虚像表示部に表示された虚像は、運転者から見て車両情報表示部の表示領域の少なくとも一部と重なる位置に表示されているので運転者からは浮き上がるように見える。このため、車両情報表示部における表示に比べて視認しづらいため虚像を認識しずらい場合がある。
【００１１】
上記構成によれば、演出を虚像表示部に表示された虚像に対して行うことにより運転者は演出が行われた虚像により注視するようになり結果としてメータパネルに表示され演出が行われた虚像を運転者に容易に気付かせることができる。また、その演出は運転者の意識を前記メータパネルの表示画面からセンタディスプレイの表示画面に向けさせるものであるので、運転者にセンタディスプレイに表示される情報を容易に気付かせることができる。
【００１２】
また、前記演出が行われた虚像が前記車両情報表示部に表示された情報の表示に対して強調されるように前記車両情報表示部の表示を制御するようにしてもよい（請求項４）。
したがって、車両情報表示部に表示された情報の表示に対して虚像が強調されるため運転者はその虚像を視認し易くなるので、さらに容易に虚像に気付くことができる。その虚像に対して、運転者の意識を前記メータパネルの表示画面からセンタディスプレイの表示画面に向けさせる演出が行われているので、センタディスプレイに表示される情報にさらに容易に気付かせることができる。
【００１３】
前記センタディスプレイに表示された情報に対応する操作が行われた結果を受けて該結果を操作信号として出力する操作部をさらに備え、前記制御手段は、前記メータパネルにおいて前記演出が開始されてからの時間を計測する時間計測手段を備え、前記制御手段は、前記センタディスプレイに表示された情報に対応する操作が行われた結果に基づく前記操作信号の入力が前記演出の開始後所定期間が経過するまでになかった場合に、前記演出をさらに強調して表示させるようにしてもよい（請求項５）。
【００１４】
このようにすることにより、所定期間が経過するまで運転者が演出に気付かなかった場合（操作信号の入力が演出の開始後所定期間が経過するまでになかった場合）でも、演出がさらに強調されるため運転者に演出が行われた情報を気付かせる可能性を高めることが
できる。
【００１５】
前記センタディスプレイに表示された情報に対応する操作が行われた結果を受けて該結果を操作信号として出力する操作部をさらに備え、前記制御手段は、前記センタディスプレイに表示された情報に対応する操作が行われた結果に基づく前記操作信号の入力があった場合に、開始済みの前記演出を中止させるようにしてもよい（請求項６）。
【００１６】
すでに運転者が、演出が行われた情報の表示に気付いた場合には、それ以上、意識を誘導させるための演出を行わせる必要性は少なく、また、演出が行われた情報の表示に気付いたにもかかわらず演出による無意味な意識の誘導が繰り返し行われると運転者が煩わしさを感じたりすることもある。
【００１７】
したがって、すでに運転者が演出された情報の表示に気付いた場合（センタディスプレイに表示されたに対応する操作が行われた結果に基づく操作信号の入力があった場合）にその開始済みの演出を中止させることによって、無意味な意識誘導の繰り返しによる上述した弊害を軽減することができる。
【００１８】
また、上述した表示制御システムの制御部としての機能を表示制御装置によって実現してもよい（請求項７）。この表示制御装置をメータパネル及びセンタディスプレイに組み合わせることによって上述した表示制御システムにおける効果と同様の効果が得られる。
【００１９】
また、上述した制御手段の機能をプログラムによって実現してもよい（請求項８）。このようなプログラムを、表示制御装置が内蔵するコンピュータに実行させれば、その表示制御装置は、上述した本発明の表示制御装置と同様の作用及び効果を奏する。また、プログラムはネットワーク等を用いて流通させることも可能である上、表示制御装置におけるプログラムの入れ替えは、部品の入れ替えに比較して容易である。したがって、表示制御装置の機能向上を容易に行うこともできる。
【図面の簡単な説明】
【００２０】
【図１】本発明に係る表示制御システムの構成を表す図である。
【図２】本発明に係る表示制御システムの制御ユニットによる表示制御の動作の一例を説明するためのフローチャートである。
【図３】本発明に係る表示制御システムのメータパネル及びセンタディスプレイに表示される一例を示した図である。
【図４】本発明に係る表示制御システムのメータパネル及びセンタディスプレイに表示される他の例を示した図である。
【発明を実施するための形態】
【００２１】
以下に本発明の実施形態について図１を参照して説明する。図１は本発明の実施形態に係る表示制御システム１の構成を表す図である。
表示制御システム１は、具体的には、図１に示すように、メータパネル２と、センタディスプレイ３と、ヘッドアップディスプレイ（以下、「ＨＵＤ」と呼ぶ。）４と、制御ユニット７と、ナビＥＣＵ８と、オーディオＥＣＵ９と、エアコンＥＣＵ１０と、ボディＥＣＵ１１と、遠隔操作デバイス１２と、ステアリングスイッチ１３とを備えて構成されている。
【００２２】
メータパネル２は、運転席の正面に配置され、運転者に対して車両に関する種々の情報を表示するものであり、例えば、実メータパネル（車両情報表示部）６と虚像用ディスプレイ（虚像表示部）５とを備えて構成されている。
【００２３】
なお、実メータパネル６以外に、液晶ディスプレイ、有機ＥＬディスプレイを用いて構成されたものが知られている。本実施の形態では、実メータパネル６を用いた例を適用して説明する。
【００２４】
実メータパネル６の表示領域は、図３に示すように左右方向に３つの部分に分割され、例えば、車両の運転者に対して車両の走行速度を示すメータ表示領域（中央エリアに表示）と、エンジンの回転数を示す回転数表示領域（左エリアに表示）と、エンジンの冷却水温度を示す情報や燃料の残量を示す車両状態表示領域（右エリアに表示）で構成されている。
【００２５】
なお、実メータパネル６には、光を実メータパネルに照明することによって実メータパネル６の視認性を向上させる機能を有するメータバックライト（図示せず）が設けられている。
【００２６】
虚像用ディスプレイ５は、例えば、オーディオＥＣＵ９、エアコンＥＣＵ１０、ナビＥＣＵ８、ボディＥＣＵ１１等から送出される情報に係る虚像を表示するものであり、虚像が投影されるハーフミラー等の透光性を有する光学部材（図示せず）と、投影される虚像に係る画像を生成する表示器（図示せず）と、虚像の投影に用いられる光を出射する光源（図示せず）とを備えた構成が挙げられる。
【００２７】
虚像用ディスプレイ５は、表示制御部１７から出力される操作画面を表示させるための表示制御信号にしたがってＧＵＩ（Graphic User Interface）画像で構成された操作画面を表示する。ここで、ＧＵＩ画像とは、表示制御部１７内のＧＵＩ生成部（図示せず）で生成された文字図形情報であり、例えば、アイコンやスイッチ、各種シンボルマーク等からなる意匠画像が挙げられる。ＧＵＩ画像は光学部材に投射され、例えば、図３のメータパネル２の左エリアの虚像用ディスプレイ５に表示される。
【００２８】
虚像用ディスプレイ５に表示される操作画面上のアイコンを選択する操作は、ステアリングスイッチ１３の方向キーを押下してカーソルをアイコン等に移動させて、ステアリングスイッチ１３の選択決定ボタンで決定することにより行われる。
【００２９】
ここで、ステアリングスイッチ１３の方向キーを押下したときにはスイッチオン信号が車両情報処理部１６に送出され、選択決定ボタンを押下して文字図形情報の選択が決定したときに後述する指示選択信号が車両情報処理部１６に送出される。
【００３０】
尚、ステアリングスイッチ１３以外にも、例えば、チルトコマンドスイッチ等でもよい。
遠隔操作デバイス１２としていわゆるリモートスイッチを用いており、該リモートスイッチはカーナビゲーション装置を遠隔操作するための操作スイッチであり、カーナビゲーション装置に関する設定情報（例えば、地図表示設定情報）を設定するための制御信号等をナビＥＣＵ８や表示制御部１７に出力するものである。
【００３１】
センタディスプレイ３は、自動車の車室内において、運転者の前方にあるダッシュボード上で、運転席と助手席の中間となる位置に配置されている。尚、センタディスプレイ３については、本実施の形態では、カーナビゲーション装置を構成する表示部を用いた例を適用して説明する。
【００３２】
尚、センタディスプレイ３は、液晶ディスプレイ等の表示面を有するカラー表示装置であり、ナビＥＣＵから送出される映像信号に対応した映像（例えば、地図情報）を表示する。
【００３３】
ナビゲーション装置の操作デバイスとしては、後述する遠隔操作デバイス（リモートスイッチ）１２を用いており、運転席のすぐ横にあるセンターコンソールの上面に配置されており、運転者が遠方へ手を伸ばしたり姿勢を変えたりすることなく容易に操作できるようになっている。
【００３４】
制御ユニット７は、車両情報処理部１６と表示制御部１７を含んで構成され、ステアリングスイッチ１３や車両情報部（図示せず）などから各種の情報を入力するとともに、実メータパネル６、センタディスプレイ３、ＨＵＤ４、虚像用ディスプレイ５に表示される情報の表示状態を制御するとともに、遠隔操作デバイス１２とステアリングスイッチ１３のいずれを操作させるのかを上記情報の内容に応じて決定する機能も有する。
【００３５】
車両情報処理部１６は、ステアリングスイッチ１３の方向キーを押下したときに送出されるスイッチオン信号を監視し、スイッチオン信号が入力された場合、入力されたスイッチオン信号に基づいてステアリングスイッチ１３が押下されたか否かを判定する機能を有する。
【００３６】
また、車両情報処理部１６は、ステアリングスイッチ１３の選択決定ボタンで選択決定されたときに送出される指示選択情報を監視し、入力された指示選択情報を表示制御部１７に出力する。なお、指示選択信号は、例えば、オーディオ装置、エアコンに関する設定情報（音量、音質、温度、風量、画質等の設定情報）を設定する操作画面を表示させるための指示選択信号、カーナビゲーション装置における地図情報と関連する情報を表示させるための指示選択信号である。
【００３７】
表示制御部１７は、車室内に配線された制御バス１４を介して実メータパネル６、センタディスプレイ３、ＨＵＤ４、虚像用ディスプレイ５、ナビＥＣＵ８、オーディオＥＣＵ９、エアコンＥＣＵ１０、ボディＥＣＵ１１、遠隔操作デバイス１２、及び、ステアリングスイッチ１３に接続され、主に実メータパネル６、センタディスプレイ３、ＨＵＤ４、及び、虚像用ディスプレイ５の表示を制御している。
【００３８】
表示制御部１７は、具体的には、ステアリングスイッチ１３からの指示選択情報を受けて、図示しないＲＯＭ及びＲＡＭに記憶された表示制御プログラムに基づいて、メータバックライトの点消灯制御、実メータパネル６、センタディスプレイ３、ＨＵＤ４、虚像用ディスプレイ５の表示制御を行うものである。
【００３９】
表示制御部１７は、図示しない周知のＣＰＵ、ＲＯＭ、ＲＡＭ、Ｉ／Ｏ及びこれらの構成を接続するバスラインなどからなる周知のマイクロコンピュータを中心に構成されている。
【００４０】
ナビＥＣＵ８は車両に搭載されたカーナビゲーション機器を制御するためのものである。オーディオＥＣＵ９は、車両に搭載されたオーディオ機器を制御するためのものである。エアコンＥＣＵ１０は、車両に搭載された空調装置（エアコン）を制御するためのものである。ボディＥＣＵ１１は、車両における各部分（ミラーやシート等）の状態を測定するセンサ（図示せず）を備え、該センサから出力される測定結果（車両における各部分の状態を示す信号）を出力し、車両における各部分の動作を制御するものである。
【００４１】
そして、これら各ＥＣＵ８，９，１０，１１は、マイクロコンピュータを中心に構成され、制御バス１４を介して他のＥＣＵとの間でデータ通信ができるようにされている。
ステアリングスイッチ１３は、ステアリングホイール１５の左側（運転者が左手で操作可能な領域）及び右側（運転者が右手で操作可能な領域）に配置されたメカニカルなキースイッチであり、情報を選択する上下左右の方向キーと該情報の選択を決定（確定）する選択決定ボタンで構成されている。
【００４２】
本実施の形態では、表示制御部１７が実メータパネル６に表示された車両に関する情報（燃料残量情報等）に基づいて、該車両に関する情報に関連した情報をＧＵＩ画像として虚像表示部に表示させるとともにセンタディスプレイ３に表示させる例を適用して説明する。なお、表示制御部１７における処理の詳しい内容については後述する。
【００４３】
以下に、上記した構成からなる表示制御システム１における表示制御について図２〜図４を参照しながら説明する。
ボディＥＣＵ１１は、燃料タンク（図示せず）に貯留されているガソリンなどの燃料の残量を燃料タンク内に設けられた燃料残量センサから出力される情報に基づいて測定し、燃料残量が所定量以下になったときに制御ユニット７の車両情報処理部１６に燃料残量警告信号を出力する（Ｓ１０１）。車両情報処理部１６は表示制御部１７に前記燃料残量警告信号を送出する。表示制御部１７は車両情報処理部１６から燃料残量警告信号が入力されると実メータパネル６に対して燃料残量警告表示を行う（Ｓ１０２）。
【００４４】
車両情報処理部１６は燃料残量警告信号が入力されると最寄のガソリンスタンドを検索するガソリンスタンド検索要求信号をナビＥＣＵ８に出力する（Ｓ１０３）。
ナビＥＣＵ８は、ガソリンスタンド検索要求信号が入力されると図示しないメモリに格納された地図情報に基いて最寄のガソリンスタンドを検索しその検索結果を表示制御部１７に出力する（Ｓ１０４）。
【００４５】
表示制御部１７はその検索結果に基いて、車両の現在位置に最も近い、例えばＡ社のガソリンスタンドに関する識別情報（例えば石油会社のハウスマーク等）を虚像用ディスプレイ５に表示するための虚像表示指示信号を虚像用ディスプレイ５に出力する（Ｓ１０５）。
【００４６】
虚像用ディスプレイ５には、虚像表示指示信号にしたがって、例えばＡ社のガソリンスタンドに関する識別情報１９が図３（１Ａ）に示すように表示される（Ｓ１０６）。なお、表示する際に所定の演出が入れられる。
【００４７】
ここで、所定の演出とは、虚像用ディスプレイ５において虚像表示された画像を構成する光を点灯させ、その点灯箇所を運転席側から助手席側に移動させ、センタディスプレイ３において最寄のガソリンスタンド付近の地図情報を表示させるとともに虚像用ディスプレイ５に虚像表示されたＧＵＩ画像と同様のＧＵＩ画像を表示させるという演出である（図３参照）。
（演出の変形例１）
上記した演出以外にも、例えば、虚像用ディスプレイ５に虚像表示された画像を構成する光を点滅させると同時に、センタディスプレイ３に表示され前記虚像表示された画像と同様の画像を点滅表示させることによる演出でもよい。
【００４８】
この場合、センタディスプレイ３に表示された画像の点滅の開始のタイミングは虚像表示された画像の点滅のタイミングと同じであってもよいし、所定時間経過後に点滅を開始してもよいし、虚像表示された画像を構成する光を点滅させる前でもよい。
【００４９】
虚像表示された画像を構成する光の点滅表示については、例えば、虚像用ディスプレイ５を構成する表示器（図示せず）の出力のオンオフを繰り返すことにより虚像用ディスプレイ５の表示領域内で点滅表示させる。
【００５０】
このようにすることにより、運転者に対してセンタディスプレイ３の方向に意識を向けさせることができる。
（演出の変形例２）
虚像用ディスプレイ５及びセンタディスプレイ３に同じ画像を点灯表示するだけの演出でもよい。この場合、例えば、虚像用ディスプレイ５及びセンタディスプレイ３に点灯表示する画像の色彩や大きさを同じにすることにより、運転者はセンタディスプレイ３の方向に自然と意識が向き、視線をその方向へ向けさせることができる。
（演出の変形例３）
車両に左右のフロントスピーカ（図示せず）が設けられている場合に、虚像用ディスプレイ５に画像が表示されたときに運転者から見て左のフロントスピーカから警告音を発生させてもよい。
【００５１】
また、右のフロントスピーカから左のフロントスピーカへ警告音を移動させるように音場制御を行ってもよい。
このようにすることにより、運転者は警告音の発生方向に意識が向くので、運転者の意識を助手席側に誘導させることができる。
（演出の変形例４）
実メータパネル６の上部からセンタディスプレイ３の上部にまで続く位置に配置されたＬＥＤ列を使って意識誘導を行ってもよい。このＬＥＤ列は、これを構成する複数のＬＥＤを独立して点灯・消灯させることができるようになっており、表示制御部１７に接続されて制御されるようになっている。
【００５２】
具体的には、実メータパネル６側のＬＥＤからセンタディスプレイ３側のＬＥＤまで順に所定時間の間隔で点灯させ、所定時間経過後に全てのＬＥＤを消灯させた状態に保ち、その後再び実メータパネル６側のＬＥＤからセンタディスプレイ３側のＬＥＤまで順に所定時間の間隔で点灯させ、この動作を繰り返す。
【００５３】
このようにすることにより、運転者はＬＥＤの存在方向に意識が向くので、運転者の意識を助手席側に誘導させることができる。
以下、図２のフローチャートに戻って表示制御システム１における表示制御の処理の説明をする。
【００５４】
車両情報処理部１６ではステアリングスイッチ１３が押下されたか否かの判定を行う（Ｓ１０７）。ステアリングスイッチ１３が押下されたか否かの判定は、具体的には、ステアリングスイッチ１３からのスイッチオン信号を検出して行う。スイッチオン信号が検出された場合にはステアリングスイッチ１３が押下されたと判定され、スイッチオン信号が検出されない場合にはステアリングスイッチ１３が押下されていないと判定される。
【００５５】
ステアリングスイッチ１３が押下されていると判定された場合（Ｓ１０７でＹＥＳ）には、車両情報処理部１６は、ステアリングスイッチ１３からの指示選択情報を取得し、該指示選択情報を表示制御部１７に出力する。
【００５６】
Ｓ１０７においてステアリングスイッチ１３が押下されていないと判定された場合（Ｓ１０７でＮＯ）には、後述する車両停止か否かの判定処理（Ｓ１１２）に移行する。
表示制御部１７は、指示選択情報が入力されると、該指示選択情報に基づいて後述する所定の演出を入れたＧＵＩ画像を虚像用ディスプレイ５に表示させるための第１の設定モーション表示制御信号を虚像用ディスプレイ５に出力する（Ｓ１０８）。なお、所定の演出を入れたＧＵＩ画像は、虚像用ディスプレイ５の代わりにＨＵＤ４に表示するようにしてもよい。
【００５７】
虚像用ディスプレイ５は、所定の演出を入れたＧＵＩ画像を表示させるための第１の設定モーション表示制御信号が入力され、所定の演出を入れたＧＵＩ画像（例えば、Ａ社のガソリンスタンドに関する情報）を生成して表示する。
【００５８】
この所定の演出は、例えば、生成されたＧＵＩ画像（本実施の形態ではガソリンスタンドＡの表示）を構成する光の点灯箇所を虚像表示領域内において運転席側から助手席側の方へ移動させるという演出（図３参照）であるがこれに限定するものではない。
【００５９】
運転席側から助手席側の方へ移動させるという演出をＧＵＩ画像に入れることにより、運転者は助手席側にあるセンタディスプレイ３の方向に意識が向き、自然と視線をその方向へ向けさせることができる。
【００６０】
演出を入れたＧＵＩ画像が虚像用ディスプレイ５に表示されると車両情報処理部１６から設定モーション表示完了信号が表示制御部１７に出力される（Ｓ１０９）。表示制御部１７は、設定モーション表示完了信号が入力されると、後述する所定の演出を入れたＧＵＩ画像を虚像用ディスプレイ５及びセンタディスプレイ３に表示させるための第２の設定モーション表示制御信号をセンタディスプレイ３に出力する（Ｓ１１０）。
【００６１】
センタディスプレイ３は、Ｓ１０３のガソリンスタンド検索要求信号にしたがって最寄のガソリンスタンド付近の地図情報を表示するとともに、第２の設定モーション表示制御信号にしたがって虚像用ディスプレイ５に虚像表示されたＧＵＩ画像と同様のＧＵＩ画像を表示する。
【００６２】
このＧＵＩ画像は地図情報に重ねて表示される（Ｓ１１１、図３参照）。ＧＵＩ画像は最寄のガソリンスタンド付近の地図情報に重ねて表示してもよいし、地図情報が表示された表示範囲内であればどこに表示してもよい。
【００６３】
なお、上記した演出が行われたＧＵＩ画像はセンタディスプレイ３の表示領域の内の運転席側の領域に表示されるのが好ましい。このようにすれば、虚像用ディスプレイ５に表示されたＧＵＩ画像とセンタディスプレイ３に表示されたＧＵＩ画像との間隔は短かくなり、虚像用ディスプレイ５に表示されたＧＵＩ画像とセンタディスプレイ３に表示されたＧＵＩ画像の一体感が高まるので、虚像用ディスプレイ５に表示されたＧＵＩ画像を視認した運転者はセンタディスプレイ３に表示されたＧＵＩ画像にも容易に気付き易くなり、その結果、運転者の意識をセンタディスプレイ３の方向に向け易くすることができるからである。
【００６４】
センタディスプレイ３に表示されたＧＵＩ画像は、センタディスプレイ３が液晶ディスプレイで構成されている場合には表示領域内の所定位置（座標）に当該ＧＵＩ画像が表示されるように表示制御される。センタディスプレイ３が液晶ディスプレイ及び虚像ディスプレイ（図示せず）で構成されている場合には虚像ディスプレイに演出が行われたＧＵＩ画像が虚像表示される。
【００６５】
また、上記画像をセンタディスプレイ３と虚像用ディスプレイ５とＨＵＤ４に同時に表示するようにしてもよい。
次に、Ｓ１０７でステアリングスイッチ１３が押下されていないと判定された場合（Ｓ１０７でＮＯ）には、制御ユニット７の車両情報処理部１６は、ボディＥＣＵ１１からの所定の情報に基づいて車両が停止したか否か、より具体的には、車両のエンジンが停止したか否かの判定を行う（Ｓ１１２）。
【００６６】
エンジンが停止したか否かの判定は、エンジンを制御するエンジンＥＣＵ（図示せず）などの制御部の動作状況や、エンジンの振動や温度などを測定するセンサの出力等に基づいて判別するが、特にこれに限定するものではない。
【００６７】
Ｓ１１２において車両のエンジンが停止していないと判別された場合（ＮＯの場合）には、Ｓ１０７の処理に戻る。Ｓ１１２においてエンジンが停止したと判別された場合（ＹＥＳの場合）には、エンジンＥＣＵは車両停止信号を車両情報処理部１６に出力する。
【００６８】
車両情報処理部１６は、車両停止信号が入力されるとステアリングスイッチ１３からの指示選択情報を取得する。
指示選択情報が取得された場合には、表示制御部１７は、この指示選択情報に基づいて後述する所定の演出を入れたＧＵＩ画像を虚像用ディスプレイ５に表示させるための第３の設定モーション表示制御信号を虚像用ディスプレイ５及び車両情報処理部１６に出力する（Ｓ１１３）。なお、所定の演出を入れたＧＵＩ画像は、虚像ディスプレイ５の代わりにＨＵＤ４に表示するようにしてもよい。
【００６９】
虚像用ディスプレイ５は、後述する所定の演出（第１の演出）を入れたＧＵＩ画像を表示させるための第３の設定モーション表示制御信号にしたがってＧＵＩ画像（例えば、Ａ社のガソリンスタンドに関する識別情報）１９及び帯状の画像２０を表示する。
【００７０】
ここで、第１の演出とは、第１の色調を有するＧＵＩ画像１９を該第１の色調とは異なる第２の色調を有する帯状の画像２０に重ねて表示させるという演出である。
ＧＵＩ画像１９及び帯状の画像２０が虚像用ディスプレイ５に表示された後、第３の設定モーション表示制御信号が入力された車両情報処理部１６は設定モーション表示完了信号を表示制御部１７に出力する（Ｓ１１４）。
【００７１】
表示制御部１７は、設定モーション表示完了信号が入力されると、後述する所定の演出（第２の演出）が行われた画像をセンタディスプレイ３に表示させるための第４の設定モーション表示制御信号をセンタディスプレイ３に出力する（Ｓ１１５）。
【００７２】
ここで、第２の演出とは、センタディスプレイ３において最寄のガソリンスタンド付近の地図情報を表示させるとともに虚像用ディスプレイ５に虚像表示された帯状の画像２０と帯幅及び色調が同じである帯状の画像２１を点灯表示させ、この点灯表示された帯状の画像２１を運転席側から助手席側に移動させる（図４（２Ａ）→（３Ａ））演出である。なお、本例では帯状の画像２０と帯状の画像２１とは帯幅及び色調を同じにしているが、帯の形状又は帯の長さを同一にしてもよく、帯の形状、帯の長さ、帯幅、色調の全てを同じにしてもよく、これらの内の少なくとも１つを同じにしてもよい。
【００７３】
この点灯画像を移動させながら表示する態様以外にも、虚像表示された画像（帯状の図形）を構成する光を点滅させると同時に、センタディスプレイ３に表示された帯状の画像を点滅表示させることによって演出を行ってもよい。この点滅表示についての詳細はすでに上記しているのでここではその説明を省略する。
【００７４】
また、点滅表示以外にも、上記変形例１〜４に記載された演出と同様の演出を行ってもよく、この場合にも上記同様の効果が得られる。上記変形例１〜４に記載された演出についての詳細な説明はすでに上述したとおりであるのでここではその説明を省略する。
【００７５】
その後、センタディスプレイ３の方向に意識を向けた運転者が遠隔操作デバイス１２によってセンタディスプレイ３内の設定画面２５（図４（４Ａ）参照）の操作を行い、詳細な情報が反映された地図情報がセンタディスプレイ３に表示される（Ｓ１１７）。
【００７６】
上記した演出が行われることにより、運転者はセンタディスプレイ３の方向に自然と意識が向き、視線をその方向へ向けるという意識を高めることができる。
また、Ｓ１０９とＳ１１１の処理によって虚像用ディスプレイ５及びセンタディスプレイ３に表示され演出が行われた画像を、虚像用ディスプレイ５及びセンタディスプレイ３いずれか一方のみに表示させてもよく、この場合にも上記同様の効果が得られる。
【００７７】
また、Ｓ１１４とＳ１１６の処理によって虚像用ディスプレイ５及びセンタディスプレイ３に表示され演出が行われた画像も、虚像用ディスプレイ５及びセンタディスプレイ３いずれか一方のみに表示させてもよく、この場合にも上記同様の効果が得られる。
【００７８】
上述したように表示制御システムの表示制御を行うことにより、運転者はセンタディスプレイ３の方向に自然と意識が向き、視線をその方向へ向けるという意識を高めることができる。
【００７９】
また、虚像用ディスプレイ５に情報を虚像表示する際、該情報と重畳する実メータパネル６におけるエリアを照明するためのメータバックライトを消灯することが望ましい。
このようにすることにより、虚像の背景を暗くさせ虚像の表示が強調されるため、運転者は虚像表示された情報が視認し易くなる。
[他の実施の形態１]
本実施の形態に係る表示制御システムの制御ユニット７には、演出が開始されてからの時間を計測する時間計測手段（図示せず）が設けられている。
【００８０】
本実施の形態は、運転者等の操作が行われた結果を受けて該結果を操作信号として出力する操作部（例えば、遠隔操作デバイス（リモートスイッチ）１２、ハードスイッチ（図示せず）等）から表示制御部１７に何ら操作信号が出力されなかった場合に、メータパネル２及びセンタディスプレイ３に表示される情報に対する演出をさらに強調させるという実施形態である。以下、具体的に説明する。
【００８１】
演出が開始された後所定期間が経過するまでに、センタディスプレイ３に表示された情報に対応する操作（例えば、地図情報の表示に対してさらに詳細に表示設定する操作）が行われた結果に基づく操作信号の入力が表示制御部１７に対してされなかった場合に、表示制御部１７は演出をさらに強調するように虚像ディスプレイ５又はセンタディスプレイ３、若しくは、虚像ディスプレイ５及びセンタディスプレイ３を表示制御する。
【００８２】
演出をさらに強調する態様としては、例えば、明度、輝度、色度等を強調させる態様がある。
このようにすることにより、演出が開始された後所定期間が経過するまで運転者が演出された情報に気付かなかった場合でも、演出がさらに強調されるため運転者に演出が行われた情報を気付かせる可能性を高めることができる。
【００８３】
[他の実施の形態２]
本実施の形態は、演出された情報がメータパネル２及びセンタディスプレイ３に表示され、この演出された情報に対応する操作を運転者等が操作部に対して行った場合に、すでに開始済みの演出を中止させるという実施形態である。
【００８４】
具体的には、センタディスプレイ３に演出された情報が表示されている場合であって、その演出された情報に対応する操作（例えば、地図情報の表示に対してさらに詳細に表示設定する操作）が行われた結果に基づく操作信号の入力が表示制御部１７にあった場合に、表示制御部１７は開始済みの演出を中止させる。例えば、演出が光の点滅であった場合にはその点滅を中止する。
【００８５】
したがって、すでに運転者が演出が行われた情報の表示に気付いた場合に、現在開始している演出そのものを中止させることによって、無意味な意識の誘導が繰り返し行われることによる煩わしさ等の弊害を軽減することができる。
【００８６】
以上本発明の実施の形態について説明したが、本発明は、上記実施の形態に限定されるものではなく、本発明の要旨を逸脱しない範囲内にて種々の態様をとることができる。
【符号の説明】
【００８７】
１…表示制御システム、２…メータパネル（第１の表示手段）、３…センタディスプレイ（第２の表示手段）、４…ヘッドアップディスプレイ（ＨＵＤ）、５…虚像用ディスプレイ（虚像表示部）、６…実メータパネル、７…制御ユニット（制御手段）、１３…ステアリングスイッチ、１６…車両情報処理部、１７…表示制御部
【図１】
0005664336.tif 000002
【図２】
0005664336.tif 000003
【図３】
0005664336.tif 000004
【図４】
0005664336.tif 000005